(57)【要約】【課題】需要家施設の空気質の状態をより簡易に表示部に表示させることができる表示方法、プログラム及び表示制御システムを提供する。【解決手段】表示制御システム１０は、情報端末装置の表示部に情報を表示させるシステムであり、施設における空気質の状態の検出に関する空気質情報を、表示部に表示させる表示制御部１５を備える。空気質について複数種類の検出対象がある。施設には、複数種類の検出対象のうち少なくとも１つの検出対象について検出処理が行われる複数の部屋が含まれている。表示制御部１５は、複数の部屋及び複数種類の検出対象のうち少なくとも一方についての複数の検出結果から１つの検出結果を求めて、求めた１つの検出結果を含む前記空気質情報を生成する。【選択図】図１
2017227353.tif 000002
【特許請求の範囲】
【請求項１】
情報端末装置の表示部に情報を表示させる表示方法であって、
前記表示部に表示させる情報であって施設における空気質の状態に関する空気質情報を生成する表示制御ステップと、
前記空気質情報を出力する出力ステップとを含み、
前記空気質について複数種類の検出対象があり、
前記施設には、前記複数種類の検出対象のうち少なくとも１つの検出対象について検出処理が行われる複数のエリアが含まれており、
前記表示制御ステップは、前記複数のエリア及び前記複数種類の検出対象のうち少なくとも一方についての複数の検出結果から１つの検出結果を求めて、求めた前記１つの検出結果を含む前記空気質情報を生成する
ことを特徴とする表示方法。
【請求項２】
前記表示制御ステップは、前記複数のエリア及び前記複数種類の検出対象の双方についての複数の検出結果から１つの検出結果を求める
ことを特徴とする請求項１に記載の表示方法。
【請求項３】
前記空気質情報は、オブジェクトの色、かたち、大きさ、数、動き及びこれらの組み合わせのいずれかで表示される
ことを特徴とする請求項１または２に記載の表示方法。
【請求項４】
前記表示制御ステップは、さらに、前記複数のエリアのうち一のエリアで検出されたすべての検出結果を含む詳細情報を生成し、
前記出力ステップは、さらに、前記詳細情報を出力する
ことを特徴とする請求項１〜３のいずれか一項に記載の表示方法。
【請求項５】
前記空気質情報は、前記複数の検出結果のうち検出結果に対する評価が最も悪い検出結果である
ことを特徴とする請求項１〜４のいずれか一項に記載の表示方法。
【請求項６】
前記複数種類の検出対象には、空気の汚れの原因となる粒子及び粉塵が含まれる
ことを特徴とする請求項１〜５のいずれか一項に記載の表示方法。
【請求項７】
前記表示制御ステップは、さらに、
前記空気質情報に含まれる前記１つの検出結果に応じたメッセージを取得し、
前記出力ステップは、さらに、前記メッセージを出力する
ことを特徴とする請求項１〜６のいずれか一項に記載の表示方法。
【請求項８】
コンピュータに、
請求項１〜７のいずれか一項に記載の表示方法に含まれる前記表示制御ステップと前記出力ステップとを、実行させるためのプログラム。
【請求項９】
情報端末装置の表示部に情報を表示させる表示制御システムであって、
前記表示部に表示させる情報であって施設における空気質の状態に関する空気質情報を生成する表示制御部と、
前記空気質情報を出力する出力部とを備え、
前記空気質について複数種類の検出対象があり、
前記施設には、前記複数種類の検出対象のうち少なくとも１つの検出対象について検出処理が行われる複数のエリアが含まれており、
前記表示制御部は、前記複数のエリア及び前記複数種類の検出対象のうち少なくとも一方についての複数の検出結果から１つの検出結果を求めて、求めた前記１つの検出結果を含む前記空気質情報を生成する
ことを特徴とする表示制御システム。
【発明の詳細な説明】
【技術分野】
【０００１】
本発明は、表示方法、プログラム及び表示制御システムに関し、より詳細には、空気質の状態に関する情報を表示する表示方法、プログラム及び表示制御システムに関する。
【背景技術】
【０００２】
従来、空調空間における空気質の状態を検出し、検出結果を表示する端末装置がある（特許文献１参照）。特許文献１に記載されている端末装置（スマートフォンなどのカメラ付き液晶端末）は、撮像部で撮像した空調空間における空気質の状態を検出し、表示画面に撮像された空調空間と検出結果とを表示している。また、特許文献１の端末装置は、複数のセンサすべての検出結果を表示している。
【先行技術文献】
【特許文献】
【０００３】
【特許文献１】特開２０１４−２０６２９１号公報
【発明の概要】
【発明が解決しようとする課題】
【０００４】
特許文献１の端末装置では、利用者は、撮像部で撮像された空調空間、いわば局所的な空間における空気質の状態を知ることができる。しかしながら、家（施設）全体としての空気質の状態を知るためには、端末装置で家中の各部屋を撮像し、撮像した空間ごとに空気質の状態を確認しなければならず、手間がかかる。また、複数のセンサすべての検出結果が表示されているため、画面を表示する領域が小さいスマートフォンなどの液晶端末では、表示内容が分かりづらくなる可能性がある。
【０００５】
本発明は上記事由に鑑みてなされており、施設の空気質の状態をより簡易に表示部に表示させることができる表示方法、プログラム及び表示制御システムを提供することを目的とする。
【課題を解決するための手段】
【０００６】
本発明の一態様の表示方法は、情報端末装置の表示部に情報を表示させる表示方法である。前記表示方法は、前記表示部に表示させる情報であって施設における空気質の状態に関する空気質情報を生成する表示制御ステップと、前記空気質情報を出力する出力ステップとを含む。前記空気質について複数種類の検出対象がある。前記施設には、前記複数種類の検出対象のうち少なくとも１つの検出対象について検出処理が行われる複数のエリアが含まれている。前記表示制御ステップは、前記複数のエリア及び前記複数種類の検出対象のうち少なくとも一方についての複数の検出結果から１つの検出結果を求めて、求めた前記１つの検出結果を含む前記空気質情報を生成する。
【０００７】
本発明の一態様のプログラムは、上記記載の表示方法に含まれる前記表示制御ステップと前記出力ステップとを、実行させるためのプログラムである。
【０００８】
本発明の一態様の表示制御システムは、情報端末装置の表示部に情報を表示させる表示制御システムである。前記表示制御システムは、前記表示部に表示させる情報であって施設における空気質の状態に関する空気質情報を生成する表示制御部と、前記空気質情報を出力する出力部とを備える。前記空気質について複数種類の検出対象がある。前記施設には、前記複数種類の検出対象のうち少なくとも１つの検出対象について検出処理が行われる複数のエリアが含まれている。前記表示制御部は、前記複数のエリア及び前記複数種類の検出対象のうち少なくとも一方についての複数の検出結果から１つの検出結果を求めて、求めた前記１つの検出結果を含む前記空気質情報を生成する。
【発明の効果】
【０００９】
この発明によると、施設の空気質の状態をより簡易に表示部に表示させることができる。
【図面の簡単な説明】
【００１０】
【図１】図１は、本発明の一実施形態に係る表示制御システム（サーバ装置）の構成を示すブロック図である。
【図２】図２は、同上の表示制御システムを含む全体構成を示すシステム構成図である。
【図３】図３は、本発明の一実施形態に係る情報端末装置の構成を示すブロック図である。
【図４】図４は、本発明の一実施形態に係るハウスダストまたはＰＭ２．５のレベル及びニオイのレベルの組み合わせと、表示すべき表示用オブジェクトとの対応を説明するための図である。
【図５】図５は、本発明の一実施形態に係る概要画面の一例を示す図である。
【図６】図６は、本発明の一実施形態に係る詳細画面の一例を示す図である。
【図７】図７は、本発明の一実施形態に係る推移画面の一例を示す図である。
【図８】図８は、本発明の一実施形態に係る推移画面の別の例を示す図である。
【発明を実施するための形態】
【００１１】
以下に説明する実施形態及び変形例は、本発明の一例に過ぎず、本発明は、実施形態及び変形例に限定されることなく、この実施形態及び変形例以外であっても、本発明に係る技術的思想を逸脱しない範囲であれば、設計などに応じて種々の変更が可能である。
【００１２】
（実施形態）
（１）全体概要
本実施形態では、需要家の施設（facility）の空気質の状態に関する情報（空気質情報）を表示する機能を、基本的な機能として有する表示制御システムについて説明する。本実施形態においては、表示制御システム１０は、図１、図２に示すようにサーバ装置１にて構成されている。
【００１３】
需要家施設５には、図２に示すように、電力を消費する負荷機器６３が設けられている。負荷機器６３は、例えば空気清浄機６３ａである。空気清浄機６３ａは、需要家施設５に設けられた複数の部屋５０（エリア）のそれぞれに設けられている。また、ここでいう「需要家施設」は、電力の需要家の施設を意味しており、電力会社などの電気事業者から電力の供給を受ける施設だけでなく、太陽光発電設備などの自家発電設備から電力の供給を受ける施設も含む。本実施形態では、戸建住宅を需要家施設５の一例として説明する。
【００１４】
空気清浄機６３ａが設けられた部屋５０のそれぞれには、図２に示すように、センサ９１〜９３が設けられている。センサ９１は、所定の空間におけるハウスダストの量を検出するセンサであり、検出結果として０〜５のいずれかの数値を出力する。ここで、センサ９１が出力する数値が大きいほど空気中にハウスダストが多く含まれることを意味する。センサ９２は、所定の空間における微小粒子状物質（以下、「ＰＭ２．５」という）の量を検出するセンサであり、検出結果として０〜５のいずれかの数値を出力する。ここで、センサ９２が出力する数値が大きいほど空気中にＰＭ２．５が多く含まれることを意味する。センサ９３は、ニオイを検出するセンサであり、検出結果として０〜５のいずれかの数値を出力する。ここで、センサ９３が出力する数値が大きいほど空気中のニオイがきつい、つまり不快なニオイであることを意味する。
【００１５】
計測システム２０は、図２に示すように、需要家施設５における複数の分岐回路７０の各々について、消費電力と消費電力量との少なくとも一方を計測値として計測するシステムである。需要家施設５における複数の分岐回路７０の各々には負荷機器６３が接続されている。
【００１６】
情報端末装置３は、図２に示すように、サーバ装置１にネットワーク４を介して接続される。サーバ装置１は、図２に示すように、コントローラ４０にネットワーク４を介して接続される。コントローラ４０は、本実施形態では、ＨＥＭＳ（home energy management system）のコントローラである。
【００１７】
コントローラ４０は、部屋５０のそれぞれに設けられたセンサ９１〜９３から検出結果を無線通信により取得する。コントローラ４０は、計測システム２０から需要家施設５における電力の消費データ（例えば、消費電力量）を取得する。
【００１８】
部屋５０の温度及び湿度を計測する温湿度センサが部屋５０に設けられている場合には、コントローラ４０は、温湿度センサが設けられた部屋５０から部屋５０の温度及び湿度を無線通信で取得する。
【００１９】
コントローラ４０は、センサ９１〜９３の検出結果及び温湿度のそれぞれを時系列データとして、設置された部屋５０の部屋名と対応付けてルータ７を介してサーバ装置１に送信する。
【００２０】
サーバ装置１は、センサ９１〜９３の検出結果に基づく空気質情報を、情報端末装置３の表示部３１に表示させる。これにより、本実施形態の表示制御システム１０は、情報端末装置３の使用者である顧客に対して、需要家施設５における空気質の状態を提示することが可能である。つまり、顧客は、表示部３１に表示される画面を見ることで、視覚的に、需要家施設５の空気質の状態を確認することができる。
【００２１】
表示制御システム１０によるサービスの提供を受ける顧客（情報端末装置３の使用者）は、住人（需要家施設５の使用者）と同一人である。ここで、「需要家施設５の使用者」は、需要家施設５を使用する人を意味しており、需要家施設５が住宅である本実施形態においては、需要家施設５の住人である。また、需要家施設５の住人が複数人である場合には、「需要家施設５の使用者」は、複数の住人のうちの一人を指すこともあり、二人以上（全員も含む）を指すこともある。以下では「需要家施設５の使用者」を単に「住人」ともいう。
【００２２】
（２）構成
次に、本実施形態に係る表示制御システム１０、計測システム２０及び情報端末装置３の構成について説明する。
【００２３】
（２．１）表示制御システム
先ず、本実施形態の表示制御システム１０の構成について説明する。
【００２４】
表示制御システム１０は、上述したように、本実施形態ではサーバ装置１にて構成されている。サーバ装置１は、ネットワーク４を介して情報端末装置３に接続されている。
【００２５】
サーバ装置１は、計測システム２０で計測された消費電力量（消費エネルギー）を、少なくとも分岐ブレーカ６２（分岐回路）ごとに時系列データとしてコントローラ４０から取得する。サーバ装置１は、複数の部屋５０のそれぞれに設けられたセンサ９１〜９３の検出結果を、各部屋５０のセンサ９１〜９３ごとに時系列データとしてコントローラ４０から取得する。サーバ装置１は、所定のアルゴリズムに従って需要家施設５の空気質情報を作成して、情報端末装置３へ出力する。
【００２６】
サーバ装置１（表示制御システム１０）は、図１に示すように、記憶部１１と、処理部１２と、通信部１３とを備える。サーバ装置１は、ＣＰＵ（Central Processing Unit）及びメモリを有している。ＣＰＵがメモリに格納されているプログラムを実行することにより、処理部１２の機能を実現する。プログラムは、インターネットなどの電気通信回線を通じて、あるいはメモリカードなどの記録媒体に記録されて提供されてもよいし、コンピュータのメモリに予め記録されていてもよい。
【００２７】
記憶部１１は、ＲＯＭ（Read Only Memory）、ＲＡＭ（Random Access Memory）、またはＥＥＰＲＯＭ（Electrically Erasable Programmable Read Only Memory）などから選択されるデバイスで構成される。記憶部１１は、コントローラ４０から取得した分岐ブレーカ６２（分岐回路）ごとの消費電力量、複数の部屋５０のセンサ９１〜９３ごとの検出結果、及び温湿度を、時系列に記憶する。
【００２８】
処理部１２は、図１に示すように、取得部１４と表示制御部１５と出力部１６を有している。取得部１４は、コントローラ４０から出力された分岐ブレーカ６２（分岐回路）ごとの消費電力量、及びセンサ９１〜９３の検出結果のそれぞれを時系列データとして、通信部３３を介して取得する。取得部１４は、取得した分岐ブレーカ６２（分岐回路）ごとの消費電力量、及びセンサ９１〜９３の検出結果のそれぞれを記憶部１１に記憶する。表示制御部１５は、情報端末装置３の表示部３１に表示させる画面（コンテンツ）に係る情報を作成する。出力部１６は、表示制御部１５で生成された画面に係る情報を、通信部１３を介して情報端末装置３に出力する。
【００２９】
通信部１３は、ネットワーク４に接続されることで、サーバ装置１と情報端末装置３との間の通信を可能にする。なお、通信部１３は、公衆無線ＬＡＮ（Local Area Network）を介してネットワーク４に接続されてもよい。
【００３０】
（２．２）情報端末装置
次に、本実施形態の情報端末装置３の構成について、図３を参照して説明する。
【００３１】
情報端末装置３は、一例として表示部３１を備えるスマートフォンである。情報端末装置３は、ＣＰＵ及びメモリを有する組み込みのコンピュータを備えている。ＣＰＵがメモリに格納されているプログラムを実行することによって、情報端末装置３の種々の機能（例えば処理部３２の機能など）が実現される。プログラムは、コンピュータのメモリにあらかじめ記録されているが、インターネットなどの電気通信回線を通じて提供されてもよいし、メモリカードなどの記録媒体に記録されて提供されてもよい。
【００３２】
情報端末装置３は、図３に示すように、表示部３１と、処理部３２と、通信部３３と、入力部３４と、記憶部３５とを備える。
【００３３】
表示部３１は、例えば液晶ディスプレイや有機ＥＬ（electroluminescence）ディスプレイのような薄型のディスプレイ装置である。
【００３４】
処理部３２は、サーバ装置１から受け取った画面（コンテンツ）に係る情報に基づく画面を、表示部３１に表示させる。
【００３５】
通信部３３は、ネットワーク４に接続されることで、情報端末装置３とサーバ装置１との間の通信を可能にする。ここでは、情報端末装置３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線などがある。なお、通信部１３は、公衆無線ＬＡＮ（Local Area Network）を介してネットワーク４に接続されてもよい。
【００３６】
入力部３４は、情報端末装置３の使用者（住人など）の操作を受け付ける機能を有している。本実施形態では、情報端末装置３がタッチパネルディスプレイを搭載しており、タッチパネルディスプレイが表示部３１及び入力部３４として機能する。そのため、以下の説明では、表示部３１に表示される画面上のボタンに対する種々のタッチ操作を、「タップ」などと表現する。ただし、入力部３４は、タッチパネルディスプレイに限らず、例えばキーボードやポインティングデバイス、メカニカルなスイッチなどであってもよい。
【００３７】
記憶部３５は、たとえばフラッシュメモリなどの電気的に書換可能な不揮発性の半導体メモリで構成される。
【００３８】
なお、情報端末装置８，８ａ（図２参照）は、情報端末装置３と通信部３３の構成が異なるが、情報端末装置３と同様の機能を有していればよく、情報端末装置８，８ａの説明は省略する。
【００３９】
（２．３）計測システム
ここでは、本実施形態の計測システム２０の構成について説明する。
【００４０】
計測システム２０は、図２に示すように、計測ユニット２１と、通信アダプタ２２と、電流センサ２３，２４とを備えている。このうち、計測ユニット２１、通信アダプタ２２、及び電流センサ２３，２４は、分電盤６のキャビネット内に配置されている。分電盤６は、系統電源９に電気的に接続される主幹ブレーカ６１と、主幹ブレーカ６１の二次側に電気的に接続された複数の分岐ブレーカ６２とをキャビネット内に備えている。
【００４１】
計測ユニット２１は、電流センサ２３，２４に電気的に接続されている。電流センサ２３は、主幹ブレーカ６１の一次側に設けられ、幹線を流れる電流の値を計測する。電流センサ２４は、複数の分岐ブレーカ６２に対応して設けられ、複数の分岐回路７０に流れる電流の値をそれぞれ計測する。ここでいう「分岐回路」は、複数の分岐ブレーカ６２にて幹線から分岐された各回路を意味する。分岐回路７０には、分岐ブレーカ６２に接続される配線、空気清浄機６３ａ、照明器具、調理家電などの負荷機器６３、コンセント（アウトレット）、壁スイッチなどを含んでいる。このような分岐回路７０は、本実施形態のように住宅からなる需要家施設５においては、例えばリビング、寝室、玄関、トイレ、子供部屋、キッチンなどの部屋ごと、かつ空気清浄機６３ａ、照明器具、調理家電などの機器の種類ごとに設けられる。１つの分岐回路７０には、１つの負荷機器６３が含まれてもよいし、複数の負荷機器６３が含まれてもよい。
【００４２】
計測ユニット２１は、電流センサ２３，２４の出力を用いて、幹線及び複数の分岐回路７０の各々について、消費電力と消費電力量との少なくとも一方を計測する。通信アダプタ２２は、計測ユニット２１で計測された計測値を、計測システム２０の計測値として需要家施設５に設けられたコントローラ４０へ送信する。
【００４３】
要するに、計測システム２０の計測値は、需要家施設５における複数の分岐回路７０の各々について、計測ユニット２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば正時から３０分間隔）で積算した消費電力量である。
【００４４】
（３）処理
ここでは、表示制御システム１０（サーバ装置１）の動作及び情報端末装置３の動作について説明する。
【００４５】
（３．１）表示制御システム（サーバ装置）の動作
取得部１４は、コントローラ４０から出力された分岐ブレーカ６２（分岐回路）ごとの消費電力量、センサ９１〜９３の検出結果及び温湿度のそれぞれを時系列データとして、取得し、部屋名と対応付けて記憶部１１に記憶する。
【００４６】
表示制御部１５は、情報端末装置３から対応する需要家施設５についての空気質情報を含む概要情報の表示を要求する概要要求情報を受け取る。表示制御部１５は、受け取った時点に最も近い日時におけるセンサ９１〜９３の検出結果のそれぞれをもとに、空気質情報を含み、表示画面の基である概要情報を作成し、情報端末装置３へ送信する。
【００４７】
具体的には、表示制御部１５は、複数の部屋５０のセンサ９１のハウスダストに対する検出結果（数値０〜５のいずれか）のうち、検出結果が最も高い検出結果（ハウスダスト検出結果）を取得する。表示制御部１５は、複数の部屋５０のセンサ９２のＰＭ２．５に対する検出結果（数値０〜５のいずれか）のうち、検出結果が最も高い検出結果（ＰＭ２．５検出結果）を取得する。表示制御部１５は、部屋５０ごとの検出結果をまとめることで、需要家施設５としての検出結果を得ることができる。表示制御部１５は、上述したハウスダスト検出結果及びＰＭ２．５検出結果のうち、値が高い方の検出結果を取得する。表示制御部１５は、空気中のハウスダストの検出結果とＰＭ２．５の検出結果とをまとめることで、空気中の汚れ度合としての検出結果を得ることができる。表示制御部１５は、取得した検出結果を３段階で表されるレベルのいずれかに分類する。例えば、数値０と、数値１〜３と、数値４〜５の３つのレベルに分類する。数値０に対応するレベルをレベル１、数値１〜３に対応するレベルをレベル２、数値４〜５の対応するレベルをレベル３と表記する。
【００４８】
表示制御部１５は、複数の部屋５０のセンサ９３のニオイに対する検出結果（数値０〜５のいずれか）のうち最も高い検出結果を選択する。表示制御部１５は、選択したニオイの検出結果を上述したレベル１〜３のいずれかのレベルに分類する。
【００４９】
記憶部１１は、図４に示すように、空気中のハウスダストまたはＰＭ２．５のレベル及びニオイのレベルの組み合わせと、表示部３１で表示される表示用オブジェクトとを対応付けて記憶している。表示制御部１５は、空気中のハウスダストまたはＰＭ２．５の分類結果と、ニオイの分類結果とから、表示部３１で表示させる表示用オブジェクトに係る情報を記憶部１１から取得する。表示制御部１５は、取得した表示用オブジェクトに係る情報を含む空気質情報を生成する。
【００５０】
図４に示すように、ハウスダストまたはＰＭ２．５のレベルが大きくなるにつれて白い雲型の図形（オブジェクト）の個数が増え、ニオイのレベルが大きくなるにつれて黒い雲型の図形（オブジェクト）の個数が増えている。例えば、表示制御部１５は、ハウスダストまたはＰＭ２．５のレベルがレベル２で、ニオイのレベルがレベル３である場合には、表示部３１で表示される表示用オブジェクトとして表示用オブジェクトＴ１１に係る情報を取得する。また、表示制御部１５は、ハウスダストまたはＰＭ２．５のレベルと、ニオイのレベルとがともにレベル３である場合には、表示部３１で表示される表示用オブジェクトとして表示用オブジェクトＴ１２に係る情報を取得する。また、表示制御部１５は、ハウスダストまたはＰＭ２．５のレベルと、ニオイのレベルとがともにレベル１である場合には、空白を表す表示用オブジェクトＴ１０に係る情報を取得する。本実施形態では、表示用オブジェクトに係る情報（空気質情報）は、白い雲型の図形の個数、黒い雲型の図形の個数及びこれらの図形の配置位置を含んでいる。
【００５１】
記憶部１１は、表示用オブジェクトごとに対応するメッセージを記憶している。例えば、空白を表す表示用オブジェクトＴ１０には、空気質の状態が良好の旨のメッセージ（“空気はきれいな状態です”）が対応付けられている。それ以外の表示用オブジェクトには、空気質の状態を改善するためのメッセージ（“空気清浄機を動かしましょう”）が対応付けられている。ハウスダストまたはＰＭ２．５のレベルのみに着目すると、レベル１には空気質の状態が良好の旨のメッセージが、レベル２，３には空気質の状態を改善するためのメッセージが対応付けられている。
【００５２】
表示制御部１５は、取得した表示用オブジェクトの情報に応じたメッセージを、記憶部１１から取得する。
【００５３】
表示制御部１５は、空気質情報と、メッセージと、その他の情報とを含む概要情報を生成する。出力部１６は、表示制御部１５で生成された概要情報を、通信部３３を介して情報端末装置３に出力（送信）する。その他の情報には、例えば需要家施設５がある地域の天気情報、需要家施設５の使用者（端末装置３の使用者）へのお知らせなどが含まれる。サーバ装置１は、概要情報を送信する度に外部から天気情報を取得する。または、サーバ装置１が定期的に外部から取得して記憶部１１に記憶し、概要情報を送信する度に記憶部１１から最新の天気情報を取得してもよい。天気情報には、需要家施設５がある地域名、当該地域の天気、外気温、及び天気が発表された日時が含まれている。需要家施設５の使用者（端末装置３の使用者）へのお知らせも同様に、サーバ装置１は、外部から取得してもよいし、定期的に記憶部１１に記憶し、概要情報を送信する度に記憶部１１から最新のお知らせを取得してもよい。
【００５４】
表示制御部１５は、概要情報が送信された後、空気中のハウスダスト、ＰＭ２．５及びニオイの詳細なレベルを要求する詳細要求情報を情報端末装置３から受信すると、空気中のハウスダスト、ＰＭ２．５及びニオイについての詳細な情報（詳細情報）を生成する。具体的には、表示制御部１５は、複数の部屋５０の部屋名と、複数の部屋５０で検出された空気中のハウスダスト、ＰＭ２．５及びニオイの検出結果（数値０〜５のいずれか）と、温湿度を対応付けた詳細情報を生成する。出力部１６は、表示制御部１５で生成された詳細情報を、通信部３３を介して情報端末装置３に出力（送信）する。また、複数の部屋５０に１対１に対応付けられた複数の写真を、詳細情報に含めることが好ましい。
【００５５】
表示制御部１５は、詳細情報が送信された後、特定の部屋５０に対する空気中のハウスダスト、ＰＭ２．５及びニオイの検出結果の推移を要求する推移要求情報を情報端末装置３から受信すると、各検出結果の推移を表す推移情報を生成する。具体的には、表示制御部１５は、所定期間における特定の部屋５０の空気中のハウスダスト、ＰＭ２．５及びニオイの検出結果と、要求を受け付けた日時とを含む情報を、推移情報として生成する。出力部１６は、表示制御部１５で生成された推移情報を、通信部３３を介して情報端末装置３に出力（送信）する。ここで、所定期間とは、例えば、上述した概要要求情報を受け取った時点から２時間前までの期間である。表示制御部１５は、所定期間を１０分単位に１２個の区間に分割し、各区間についてハウスダスト、ＰＭ２．５及びニオイの検出結果の最大値を選択する。区間ごとに選択されたハウスダスト、ＰＭ２．５及びニオイの数値を含む推移情報を、情報端末装置３に送信する。特定の部屋５０で温湿度が計測されている場合には、所定期間において計測された温湿度を、推移情報に含めることが好ましい。
【００５６】
（３．２）情報端末装置の動作
情報端末装置３の使用者から概要情報の画面の表示を要求する操作を入力部３４が受け付けると、情報端末装置３は、概要要求情報をサーバ装置１に送信する。処理部３２は、サーバ装置１から概要情報を受け取ると、受け取った概要情報をもとに、表示部３１に概要画面を表示させる。
【００５７】
表示部３１で概要画面を表示中に、空気中のハウスダスト、ＰＭ２．５及びニオイの詳細なレベルを要求する操作を入力部３４が受け付けると、情報端末装置３は、詳細要求情報をサーバ装置１に送信する。処理部３２は、サーバ装置１から詳細情報を受け取ると、受け取った詳細情報をもとに、表示部３１に詳細画面を表示させる。
【００５８】
表示部３１で詳細画面を表示中に、空気中のハウスダスト、ＰＭ２．５及びニオイの検出結果の推移を要求する操作を入力部３４が受け付けると、情報端末装置３は、推移要求情報をサーバ装置１に送信する。処理部３２は、サーバ装置１から推移情報を受け取ると、受け取った推移情報をもとに、表示部３１に推移画面を表示させる。
【００５９】
（４）表示画面
ここでは、表示部３１で表示される概要画面、詳細画面及び推移画面の構成について説明する。なお、表示部８１，８１ａで表示される概要画面、詳細画面及び推移画面の構成は、表示部３１で表示される概要画面、詳細画面及び推移画面と同様である。
【００６０】
（４．１）概要画面
ここでは、表示部３１で表示される概要画面１００の構成について、図５を用いて説明する。
【００６１】
図５の参照符号及び領域を囲む一点鎖線は、説明のために記載しているのみであり、実際の画面には表示されない。以下、図６〜８においても同様である。
【００６２】
概要画面１００は、第１表示領域１０１、第２表示領域１０２、及びボタン表示領域１０３〜１０７を含んでいる。
【００６３】
第１表示領域１０１は、メッセージ表示領域１１０、オブジェクト表示領域１１１、天気表示領域１１２を有している。
【００６４】
メッセージ表示領域１１０には、概要情報に含まれるメッセージが表示される。
【００６５】
オブジェクト表示領域１１１には、概要情報に含まれる空気質情報（表示用オブジェクトに係る情報）が表示される。具体的には、オブジェクト表示領域１１１には、空気質情報に基づく表示用オブジェクトが表示される。例えば、表示用オブジェクトＴ１２に係る情報を含む空気質情報が概要情報に含まれている場合、オブジェクト表示領域１１１には、表示用オブジェクトＴ１２が表示される（図４参照）。また、表示用オブジェクトＴ１０に係る情報を含む空気質情報が概要情報に含まれている場合、オブジェクト表示領域１１１には、空白が表示される。
【００６６】
天気表示領域１１２には、概要情報に含まれる天気情報に基づく内容が表示される。例えば、天気表示領域１１２には、天気情報に含まれる地域名、外気温、及び天気が発表された時間が表示されるとともに、当該地域の天気に応じたマークが表示される。
【００６７】
第２表示領域１０２には、概要情報に含まれるお知らせが表示される。
【００６８】
ボタン表示領域１０３〜１０４には、画面遷移の操作を情報端末装置３の使用者から受け付けるためのボタンが表示される。例えば、部屋５０ごとの詳細な情報を表示部３１に表示させたい場合には、情報端末装置３の使用者は、ボタン表示領域１０６に表示されたボタンをタップする。この操作により、表示部３１で表示される画面は、概要画面１００から後述する詳細画面２００に遷移する。
【００６９】
（４．２）詳細画面
ここでは、表示部３１で表示される詳細画面２００の構成について、図６を用いて説明する。
【００７０】
詳細画面２００は、複数の表示領域２０１（ここでは、４つの表示領域２０１ａ〜２０１ｄ）、及びボタン表示領域１０３〜１０７を含んでいる。
【００７１】
表示領域２０１は、部屋名表示領域２１０、画像表示領域２１１、ボタン表示領域２１４を少なくとも有している。表示領域２０１は、表示内容に応じて、上述した表示領域２０１及びボタン表示領域１０３〜１０７の他、温湿度表示領域２１２及び検出結果表示領域２１３を有している。
【００７２】
部屋名表示領域２１０には、部屋名が表示される。画像表示領域２１１には、部屋名表示領域２１０で表示される部屋名に対応する画像が表示される。部屋名表示領域２１０で表示される部屋名に対応する画像は、例えば写真である。
【００７３】
温湿度表示領域２１２には、部屋名表示領域２１０で表示される部屋名の部屋５０で計測された温度及び湿度が表示される。なお、部屋５０に温湿度センサが設けられていない場合には、温湿度表示領域２１２には、温湿度は表示されない（図６の表示領域２０１ｃ参照）。また、部屋５０に温湿度センサが設けられているが、表示時点から３時間以内の温湿度の情報がサーバ装置１の記憶部１１に記憶されていない場合には、温湿度表示領域２１２には、温度及び湿度とも“--”が表示される（図６の表示領域２０１ｄ参照）。
【００７４】
検出結果表示領域２１３には、部屋名表示領域２１０で表示される部屋名の部屋５０に設けられたセンサ９１〜９３のそれぞれの検出結果が表示される。つまり、空気中のハウスダスト、ＰＭ２．５及びニオイの検出結果が表示される。空気中のハウスダスト、ＰＭ２．５及びニオイのそれぞれについて、検出結果（数値０〜５）は、５つの丸型マークのうち黒色のマークの個数で表される。例えば、数値が０である場合には、５つのマークすべてが白色で表示される。数値が１である場合には、５つのマークのうち１つが黒色で、残りが白色で表示される。数値が５である場合には、５つのマークすべてが黒色で表示される。なお、表示時点から３時間以内の検出結果がサーバ装置１の記憶部１１に記憶されていない場合には、検出結果表示領域２１３には、検出結果は表示されない（図６の表示領域２０１ｂ，２０１ｄ参照）。
【００７５】
ボタン表示領域２１４には、画面を詳細画面２００から部屋５０ごとの推移画面３００へ遷移するためのボタンが表示される。例えば、情報端末装置３の使用者がボタン２１４をタップすると、表示部３１で表示される画面は、詳細画面２００から推移画面３００に遷移する。
【００７６】
（４．３）推移画面
ここでは、表示部３１で表示される推移画面３００の構成について、図７，８を用いて説明する。
【００７７】
推移画面３００は、部屋名表示領域３０１、日時表示領域３０２、検出結果表示領域３０３、温湿度表示領域３０４、グラフ表示領域３０５及びボタン表示領域３０６を有している。
【００７８】
部屋名表示領域３０１には、推移画面３００での表示対象である部屋５０の部屋名が表示される。
【００７９】
日時表示領域３０２には、要求を受け付けた日時が表示される。
【００８０】
検出結果表示領域３０３には、部屋名表示領域３０１で表示される部屋名の部屋５０に設けられたセンサ９１〜９３のそれぞれで検出された結果が表示される。表示方法については、詳細画面２００の検出結果表示領域２１３と同様であるので、説明は省略する。
【００８１】
温湿度表示領域３０４には、部屋名表示領域３０１で表示される部屋名の部屋５０で計測された温度及び湿度が表示される。なお、部屋５０に温湿度センサが設けられていない場合、または表示時点から３時間以内の温湿度の情報がサーバ装置１の記憶部１１に記憶されていない場合には、温湿度表示領域３０４には、温度及び湿度とも“−−”が表示される。
【００８２】
グラフ表示領域３０５には、所定期間における温度変化及び湿度変化と、ハウスダスト、ＰＭ２．５及びニオイの数値の所定期間における推移とが表示される。具体的には、温度変化及び湿度変化は、折れ線グラフで表示され、ハウスダスト、ＰＭ２．５及びニオイの数値の推移は、棒グラフで表示される。折れ線グラフ及び棒グラフは、横軸を時間としている。図７では、グラフ表示領域３０５では、日時表示領域３０２で表示される日時に対する位置が破線３１０で表示され、当該日時のより過去であって所定期間内の折れ線グラフ及び棒グラフが表示される。図７では、実線３３０が温度変化を、破線３３１が湿度変化を表している。棒グラフは、ハウスダスト、ＰＭ２．５及びニオイのそれぞれの数値の総計を表している。ハウスダスト、ＰＭ２．５及びニオイのそれぞれの数値の総計を棒グラフで表すことで、情報端末装置３の使用者に対して需要家施設５内の空気質の状態を直感的に把握させやすくすることができる。破線３１０は、要求があった時点（現時点）を表している。棒グラフは、例えば、ハウスダスト、ＰＭ２．５及びニオイの最大値（ここでは、数値５）の総計（ここでは、数値１５）を１００％として、ハウスダスト、ＰＭ２．５及びニオイに対して実際に検出された結果（数値０〜５のいずれか）の総計を表している。また、棒グラフは、ハウスダスト、ＰＭ２．５及びニオイのそれぞれの内訳を色または模様で表している。例えば、棒３２０のうち領域３２１がニオイを、領域３２２がＰＭ２．５を、領域３２３がハウスダストの内訳を表している。これにより、空気質の推移が視覚的に表される。情報端末装置３の使用者は、例えば、この推移により空気清浄機６３ａの運転中の空気質と停止中の空気質との違い、つまりハウスダスト、ＰＭ２．５の量の違い及びニオイの消臭効果などを知ることができる。
【００８３】
ボタン表示領域３０６には、画面を推移画面３００から詳細画面２００へ遷移するためのボタンが表示される。例えば、情報端末装置３の使用者がボタン表示領域３０６で表示されるボタンをタップすると、表示部３１で表示される画面は、推移画面３００から詳細画面２００に遷移する。
【００８４】
なお、部屋５０に温湿度センサが設けられていない場合、または表示時点から３時間以内の温湿度の情報がサーバ装置１の記憶部１１に記憶されていない場合の推移画面３００ａを図８に示す。推移画面３００ａの構成は、推移画面３００と同様であるので、個々の構成要素についての説明は省略する。
【００８５】
推移画面３００ａでは、上述したように、温湿度表示領域３０４には、温度及び湿度とも“--”が表示される。さらに、グラフ表示領域３０５には、温度変化及び湿度変化を表す折れ線グラフは、表示されない。
【００８６】
（５）変形例
以下に、上記実施形態の変形例について列記する。なお、以下に説明する変形例は、上記実施形態と適宜組み合わせて適用可能である。
【００８７】
上記実施形態において、ハウスダスト、ＰＭ２．５及びニオイの検出対象のエリアを複数の部屋５０とした。しかしながら、検出対象のエリアは、これに限定されない。検出対象のエリアは、部屋に限らず、需要家施設５内の所定の領域であればよい。
【００８８】
上記実施形態において、表示制御部１５は、部屋５０ごとの検出結果をまとめ、その後、空気中のハウスダストの検出結果とＰＭ２．５の検出結果とをまとめている。しかしながら、処理順序は、これに限定されない。表示制御部１５は、以下の処理順序で、空気中の汚れ度合としての検出結果を取得してもよい。表示制御部１５は、複数の部屋５０ごとに、空気中のハウスダストの検出結果とＰＭ２．５の検出結果とをまとめる。つまり、複数の部屋５０ごとに、ハウスダストに対する検出結果及びＰＭ２．５に対する検出結果のうち数値が高い検出結果を取得する。表示制御部１５は、部屋５０ごとに取得した検出結果のうち最も高い検出結果を、空気中の汚れ度合としての検出結果として取得する。
【００８９】
また、上記実施形態において、表示制御部１５は、部屋５０ごとの検出結果をまとめる処理と、空気中のハウスダストの検出結果とＰＭ２．５の検出結果とをまとめる処理の双方を行っている。しかしながら、表示制御部１５の処理は、これに限定されない。表示制御部１５は、前記複数の部屋５０及び前記複数種類の検出対象（ハウスダスト、ＰＭ２．５）のうち少なくとも一方について、検出結果をまとめればよい。
【００９０】
例えば、表示制御部１５が部屋５０ごとの検出結果をまとめる処理のみを行う場合、表示制御部１５は、部屋５０ごとのハウスダストの検出結果のうち数値が最も高い検出結果（ハウスダスト検出結果）を取得する。表示制御部１５は、部屋５０ごとのＰＭ２．５の検出結果のうち数値が最も高い検出結果（ＰＭ２．５検出結果）を取得する。さらに、表示制御部１５は、部屋５０ごとのニオイの検出結果のうち数値が最も高い検出結果（ニオイ検出結果）を取得する。表示制御部１５は、ハウスダスト検出結果に応じたレベルに対応する図形（ハウスダスト用図形）とその数、及びＰＭ２．５検出結果に応じたレベルに対応する図形（ＰＭ２．５用図形）とその数を取得する。さらに、表示制御部１５は、ニオイ検出結果に応じたレベルに対応する図形（ニオイ用図形）とその数を取得する。表示制御部１５は、取得した各図形及び数に基づく表示オブジェクトを取得する。例えば、３つのハウスダスト用図形と、２つのＰＭ２．５用図形と、３つのニオイ用図形とが取得された場合、表示制御部１５は、３つのハウスダスト用図形と、２つのＰＭ２．５用図形と、３つのニオイ用図形とからなる表示用オブジェクトを取得する。
【００９１】
また、ハウスダストの検出結果とＰＭ２．５の検出結果とをまとめる処理のみを行う場合、表示制御部１５は、複数の部屋５０ごとに、ハウスダストの検出結果のうち数値が最も高い検出結果（ハウスダスト検出結果）を取得する。表示制御部１５は、ハウスダストまたはＰＭ２．５のレベルとニオイのレベルとの対応関係（図４参照）に基づいて、複数の部屋５０ごとに、表示用オブジェクトを決定する。概要画面１００のオブジェクト表示領域１１１には、複数の部屋５０のうち一の部屋５０に対する表示用オブジェクトと一の部屋５０の部屋名とが表示される。オブジェクト表示領域１１１に表示される表示用オブジェクトと部屋５０の部屋名とは、入力部３４に対する使用者の操作により変更される。
【００９２】
上記実施形態において、表示制御部１５は、部屋５０ごとの検出結果を１つの検出結果としてまとめる際に、複数の部屋５０のハウスダスト（ＰＭ２．５）の検出結果のうち数値が最も高い検出結果を取得したが、取得方法は、これに限定されない。複数の部屋５０のハウスダスト（ＰＭ２．５）の検出結果のうち数値が最も低い検出結果を取得してもよいし、平均値を取得してもよい。ハウスダストの検出結果とＰＭ２．５の検出結果を１つの検出結果としてまとめる場合についても同様に、表示制御部１５は、ハウスダストの検出結果とＰＭ２．５の検出結果のうち、数値が小さい方を取得してもよいし、平均値を取得してもよい。
【００９３】
上記実施形態において、表示制御部１５は、ハウスダストの検出結果とＰＭ２．５の検出結果とニオイの検出結果とを１つの検出結果としてまとめてもよい。
【００９４】
上記実施形態では、詳細画面２００から推移画面３００（３００ａ）に直接遷移した。しかしながら、遷移順序はこれに限定されない。詳細画面２００から一旦別画面に遷移し、別画面から推移画面３００（３００ａ）に遷移してもよい。この場合、別画面には、グラフ表示を指示するためのボタン、つまり推移画面３００（３００ａ）に遷移するためのボタンが含まれている。さらに、別画面には、推移画面３００（３００ａ）で表示対象となる部屋５０の部屋名、温湿度及びセンサ９１〜９３による検出結果が表示されている。
【００９５】
上記実施形態において、複数の部屋５０及び検出対象の結果をまとめる場合、需要家施設５の使用者が予め設定した部屋５０または検出対象の結果を、概要画面１００に含めて情報端末装置３（８，８ａ）の表示部３１（８１，８１ａ）に表示させてもよい。例えば、使用者が表示部３１に表示させたい部屋５０として子供部屋を予め設定している場合には、概要画面１００に、子供部屋の検出結果としてハウスダストまたはＰＭ２．５のレベルとニオイのレベルとの組み合わせ結果に対応するオブジェクトが含まれる。また、使用者が表示部３１に表示させたい検出結果としてハウスダストを予め設定している場合には、概要画面１００に、ハウスダストのレベルに対応するオブジェクトが含まれる。
【００９６】
上記実施形態では、空気中のハウスダストの検出と、ＰＭ２．５の検出と、ニオイの検出とは、それぞれ個別のセンサ（センサ９１〜９３）で行われるとしたが、この構成に限定されない。空気中のハウスダストの検出と、ＰＭ２．５の検出とを１つのセンサで行ってもよい。または、空気中のハウスダストの検出と、ＰＭ２．５の検出と、ニオイの検出とを１つのセンサで行ってもよい。
【００９７】
上記実施形態において、オブジェクト表示領域１１１において空気質情報を図形（オブジェクト）とその数で表したが、表示態様は、これに限定されない。空気質情報として、図形（オブジェクト）の色、かたち、大きさ、数、動き及びこれらの組み合わせのいずれかを用いればよい。例えば、動きを用いた場合、動きが激しいほど、空気が汚れ度合が大きいことを表す。ここで、空気質情報について、ハウスダストまたはＰＭ２．５の検出結果について着目する。本実施形態では、ハウスダストまたはＰＭ２．５の検出結果を、図形とその数で表しているが、上述したように、図形（オブジェクト）の色、かたち、大きさ、数、動き及びこれらの組み合わせのいずれかを用いればよい。
【００９８】
上記実施形態において、推移画面３００（３００ａ）では、要求があった日時から２時間前までの期間における温湿度変化と、ハウスダスト、ＰＭ２．５及びニオイの検出結果の推移とが表示された。この構成に限らず、情報端末装置３の使用者（需要家施設５の使用者）によって指定された日時を含む期間における温湿度変化と、ハウスダスト、ＰＭ２．５及びニオイの検出結果の推移とが表示されてもよい。この場合、情報端末装置３（８，８ａ）は、使用者の操作により日時の指定を受け付け、受け付けた日時（指定日時）をさらに含む推移要求情報を、サーバ装置１へ送信する。サーバ装置１の表示制御部１５は、受け付けた指定日時の所定時間（例えば、２時間）前から指定日時の所定時間（２時間）後までの所定期間における特定の部屋５０の空気中のハウスダスト、ＰＭ２．５及びニオイの検出結果を含む推移情報を作成する。このとき、特定の部屋５０で温湿度が計測されている場合には、所定期間において計測された温湿度を、推移情報に含めることが好ましい。表示制御部１５は、作成した推移情報を、情報端末装置３（８，８ａ）に送信し、推移情報を情報端末装置３（８，８ａ）の表示部３１（８１，８１ａ）に表示させる。
【００９９】
上記実施形態において、ハウスダスト、ＰＭ２．５及びニオイの検出結果が数値１〜５のいずれかである場合には、検出結果表示領域２１３及び検出結果表示領域３０３で表示されるハウスダスト、ＰＭ２．５及びニオイの検出結果は、同一色とした。上記実施形態では、黒色としている（図６参照）。しかしながら、この表示に限定されず、例えば、ハウスダスト、ＰＭ２．５及びニオイの検出結果ごとに表示色を変更してもよい。または、ハウスダスト、ＰＭ２．５及びニオイの検出結果のうち最も高い数値である検出結果と、それ以外の検出結果とで、異なる表示色としてもよい。または、数値が５である検出結果と、他の数値である検出結果とで、異なる表示色としてもよい。
【０１００】
上記実施形態において、複数の部屋５０において、ハウスダスト、ＰＭ２．５及びニオイの３種類を検出対象としたが、ハウスダスト、ＰＭ２．５及びニオイにおいて少なくとも１種類について検出してもよい。
【０１０１】
上記実施形態において、ハウスダスト、ＰＭ２．５及びニオイを検出対象としているが、検出対象はこれらに限定されない。例えば、上記以外に花粉、二酸化炭素などの空気の汚れの原因となる粒子及び粉塵が検出対象に含まれていればよい。
【０１０２】
上記実施形態において、概要情報、詳細情報及び推移情報は、サーバ装置１（表示制御システム１０）の表示制御部１５で生成されるとしたが、この構成に限らず、複数の装置に分散して作成されてもよい。例えば、概要情報、詳細情報及び推移情報は、コントローラ４０、サーバ装置１、情報端末装置３，８，８ａのうち２以上の装置で分散して生成されてもよい。この場合、サーバ装置１が省略されても、コントローラ４０または情報端末装置３，８，８ａで概要情報、詳細情報及び推移情報が生成され、生成された概要情報、詳細情報及び推移情報に応じた画面が作成される。さらに、表示制御部１５は、サーバ装置１及びコントローラ４０のそれぞれに設けられてもよい。この場合、概要情報、詳細情報及び推移情報の配信先（情報端末装置３，８，８ａのいずれか）によって、サーバ装置１とコントローラ４０とのいずれかが概要情報、詳細情報及び推移情報を作成するかが決まってもよい。例えば、概要情報、詳細情報及び推移情報の配信先が情報端末装置３または情報端末装置８である場合には、コントローラ４０が概要情報、詳細情報及び推移情報を作成する。配信先が情報端末装置８ａである場合には、サーバ装置１が概要情報、詳細情報及び推移情報を作成する。
【０１０３】
さらに、表示制御システム１０は、サーバ装置１、コントローラ４０、情報端末装置３，８，８ａのうち少なくとも１つの装置によって構成されてもよい。表示制御システム１０の少なくとも一部の機能は、例えばクラウド（クラウドコンピューティング）によって実現されてもよい。
【０１０４】
また、コントローラ４０は、需要家施設５に設置されたスマートメータと通信可能に構成されてもよい。この場合、計測システム２０で計測される計測値の代わりに、スマートメータで計測された値を用いてもよい。
【０１０５】
また、分岐回路ごとの計測には、主幹ブレーカ６１に設けられた電流センサ２３または上記スマートメータを用いてもよい。
【０１０６】
（６）まとめ
以上説明したように、本発明に係る第１の態様の表示方法は、情報端末装置３（８，８ａ）の表示部３１（８１，８１ａ）に情報を表示させる表示方法である。表示方法は、表示部３１（８１，８１ａ）に表示させる情報であって施設（需要家施設５）における空気質の状態に関する空気質情報を生成する表示制御ステップと、空気質情報を出力する出力ステップとを含む。空気質について複数種類の検出対象（例えば、ハウスダスト、ＰＭ２．５）がある。施設には、複数種類の検出対象のうち少なくとも１つの検出対象について検出処理が行われる複数の部屋５０（エリア）が含まれている。表示制御ステップは、複数の部屋５０及び複数種類の検出対象のうち少なくとも一方についての複数の検出結果から１つの検出結果を求めて、求めた１つの検出結果を含む空気質情報を生成する。
【０１０７】
この表示方法によると、複数の部屋５０及び複数種類の検出対象（ハウスダスト、ＰＭ２．５）のうち少なくとも一方について、複数の検出結果から１つの検出結果を求めて、表示部３１（８１，８１ａ）に表示させている。そのため、空気質の状態をより簡易に表示部３１（８１，８１ａ）に表示させることができる。
【０１０８】
本発明に係る第２の態様の表示方法では、第１の態様において、表示制御ステップは、複数の部屋５０及び複数種類の検出対象の双方についての複数の検出結果から１つの検出結果を求める。この表示方法によると、空気質の状態をより簡易に表示することができる。
【０１０９】
本発明に係る第３の態様の表示方法では、第１または第２の態様において、空気質情報は、オブジェクトの色、かたち、大きさ、数、動き及びこれらの組み合わせのいずれかで表示される。この表示方法によると、空気質の状態の検出結果を視覚的に表示することができる。
【０１１０】
本発明に係る第４の態様の表示方法では、第１〜第３のいずれかの態様において、表示制御ステップは、さらに、複数の部屋５０のうち一の部屋で検出されたすべての検出結果を含む詳細情報を生成する。出力ステップは、詳細情報を出力する。この表示方法によると、部屋５０についての空気質の状態を、表示部３１（８１，８１ａ）に表示させることができる。
【０１１１】
本発明に係る第５の態様の表示方法では、第１〜第４のいずれかの態様において、空気質情報は、前記複数の検出結果のうち検出結果に対する評価が最も悪い検出結果である。この表示方法によると、空気質の状態が悪いことを、情報端末装置３の使用者（需要家施設５の使用者）に提示することができる。
【０１１２】
本発明に係る第６の態様の表示方法では、第１〜第５のいずれかの態様において、複数種類の検出対象には、空気の汚れの原因となる粒子及び粉塵が含まれる。この表示方法によると、空気の汚れに対する複数の検出結果を１つの検出結果にまとめることができる。
【０１１３】
本発明に係る第７の態様の表示方法では、第１〜第６のいずれかの態様において、表示制御ステップは、さらに、前記空気質情報に含まれる前記１つの検出結果に応じたメッセージを取得する。出力ステップは、さらに、メッセージを出力する。ここで、空気質情報に含まれる１つの検出結果とは、例えばハウスダストまたはＰＭ２．５の検出結果に応じたレベルである。この表示方法によると、情報端末装置３の使用者（需要家施設５の使用者）に、空気質の状態の改善するためのメッセージを表示部３１（８１，８１ａ）に表示させることができる。
【０１１４】
本発明に係る第８の態様のプログラムは、コンピュータに、第１〜第７の態様のいずれかの態様の表示方法に含まれる表示制御ステップと出力ステップとを、実行させるためのプログラムである。このプログラムによると、空気質の状態をより簡易に表示部３１（８１，８１ａ）に表示させることができる。
【０１１５】
本発明に係る第９の態様の表示制御システムは、情報端末装置３（８，８ａ）の表示部３１（８１，８１ａ）に情報を表示させる表示制御システム１０（サーバ装置１）である。表示制御システム１０は、表示制御部１５と、出力部１６とを備える。表示制御部１５は、表示部３１（８１，８１ａ）に表示させる情報であって施設（需要家施設５）における空気質の状態に関する空気質情報を生成する。出力部１６は、空気質情報を出力する。空気質について複数種類の検出対象がある。施設には、複数種類の検出対象（例えば、ハウスダスト、ＰＭ２．５）のうち少なくとも１つの検出対象について検出処理が行われる複数のエリアが含まれている。表示制御部１５は、複数の部屋５０及び複数種類の検出対象のうち少なくとも一方についての複数の検出結果から１つの検出結果を求めて、求めた１つの検出結果を含む空気質情報を生成する。この構成によると、空気質の状態をより簡易に表示部３１（８１，８１ａ）に表示させることができる。
【符号の説明】
【０１１６】
１    サーバ装置
３，８，８ａ  情報端末装置
５    需要家施設
１０    表示制御システム
１５    表示制御部
１６    出力部
３１，８１，８１ａ    表示部
５０    部屋
【図１】
2017227353.tif 000003
【図２】
2017227353.tif 000004
【図３】
2017227353.tif 000005
【図４】
2017227353.tif 000006
【図５】
2017227353.tif 000007
【図６】
2017227353.tif 000008
【図７】
2017227353.tif 000009
【図８】
2017227353.tif 000010